(57)【要約】【課題】まな板のどの位置で料理材料を包丁で切ってもまな板が安定し、作業が安全に行えて、かつ流し台の深さによらず簡単に設置及び取り外しができる、安価なまな板支持具を実現する。【解決手段】流し台の手前で交差する壁二辺に載せられたまな板の支えられていない先端角の下に設置し、上下分割したまな板支え支柱を螺合して高さ調整を可能とし、上支柱の上部に転倒防止板およびずれ止め突起を設けまな板がずれること、およびまな板支え支柱が転倒するのを防止するとともに下支柱下部に滑り止めのゴムを設け支柱が滑るのを防止する。またまな板を支柱円筒中心付近に設けた突起で点接触支持させることによりまな板支え支柱を安定させ、一定の位置でまな板と接触させることにより当初調整したまな板支え支柱の高さの再調整を不要とする。【選択図】図１
2007082969.tif 000002
【特許請求の範囲】
【請求項１】
流し台の中に置く上支柱と下支柱が螺合した高さ調整の可能なまな板支え支柱。
【請求項２】
上支柱の上部に転倒防止板およびずれ止め突起ならびにまな板を点接触させて支持するまな板支持突起を設け、下支柱の下部に滑り止めゴムを設けた請求項１記載のまな板支え支柱。
【発明の詳細な説明】
【技術分野】
【０００１】  本発明は、流し台の手前で交差する壁二辺に載せられたまな板の支えられていない先端角の下に設置し、まな板のどの位置で料理材料を包丁で切ってもまな板が安定し、作業が安全に行えて、かつ流し台の深さによらず簡単に設置及び取り外しができるまな板支え支柱に関する。
【背景技術】
【０００２】  従来のまな板支持具には、まな板と同程度の寸法のまな板支持盤を流し台の手前壁の上部に載せて置き、まな板支持盤に取り付けた二本の支柱を流し台の中に立ててまな板設置面を作り、その上にまな板を載せるものがある（例えば、特許文献１参照。）。【０００３】
【特許文献１】  実願昭５４−３９８７８号公報
【発明の開示】
【発明が解決しようとする課題】
【０００４】  以上に述べた従来のまな板支持具は、まな板と同程度の寸法のまな板支持盤をあらかじめ流し台の上に設置して、その上にまな板を載せて料理するため、料理した後洗い物をする際には、このまな板支持盤を取り外し流し台の外に置く必要があった。また再度料理する時に設置し直す必要があり、まな板と同程度の寸法のまな板支持盤の取り外しと設置を繰り返すことから手間がかかった。【０００５】  また流し台の中に二本の支柱を立てる他に、まな板と同程度の寸法のまな板支持盤を作ることから高価であった。【０００６】  本発明は、このような従来の構成が有していた問題を解決しようとするものであり、まな板のどの位置で料理材料を包丁で切ってもまな板が安定し、作業が安全に行えて、かつ流し台の深さによらず簡単に設置及び取り外しができる安価なまな板支持具を実現することを目的とするものである。
【課題を解決するための手段】
【０００７】  そして、本発明は上記目的を達成するために、まな板支え支柱を流し台の手前で交差する壁二辺に載せられたまな板の支えられていない先端角の下に設置する。【０００８】  まな板支え支柱は、上支柱と下支柱に分け螺合し高さの調整を可能にして、上支柱の上部にずれ止め突起を設けまな板の先端角の二辺をこのずれ止め突起に接触させて設置することにより、初めて設置する時一回のみの高さ調節で以降は高さ調整を不要とする。【０００９】  下支柱は下支柱の直径より拡幅した底板を設け転倒に対する安定を図るとともに滑り止めゴムを設けて、まな板支え支柱が滑るのを防止する。【００１０】  また流し台の底面すなわちまな板支え支柱接地面は、排水のために勾配が付けられているが、まな板を上支柱の上部の中央付近に設けたまな板支持突起で接触支持させることにより底板中心位置に荷重の作用位置を近づけまな板支え支柱を転倒しにくくするとともに上支柱の上部に転倒防止板を設け、まな板支え支柱がまな板に働く水平力により傾いても転倒防止板がまな板に接触した時点でまな板からの鉛直力によりまな板支え支柱を押さえ転倒しないで安定する構造としたものである。
【発明の効果】
【００１１】  上述したように本発明のまな板支え支柱は、流し台の深さによらず簡単に設置及び取り外しができ、まな板のどの位置で料理材料を包丁で切ってもまな板が安定し作業が安全に行え、支柱のみの構成であることから安価なまな板支え支柱を提供できる。
【発明を実施するための最良の形態】
【００１２】  以下、本発明の形態を図１〜図７に基づいて説明する。【００１３】  図１において上支柱１及び下支柱２は、合成樹脂製のまな板支え支柱本体である。上支柱１の上には、転倒防止板１１を設け、この上にまな板支持突起１２およびずれ止め突起１３を設ける。また上支柱１の円筒内側には高さ調整雌ねじ１４を設ける。【００１４】  下支柱２の下には、まな板支え支柱が安定して自立するために、支柱径より大きな径の底板２１を設け、この下にゴム製の滑り止めゴム３を設ける。まな板支え支柱は、この滑り止めゴム３を介して流し台の上に自立する。また下支柱２の上方外側に高さ調整雌ねじ１４に対応した高さ調整雄ねじ２２を設ける。【００１５】  以下、上記構成の動作を説明する。上支柱１と下支柱２は、高さ調整雌ねじ１４と高さ調整雄ねじ２２により螺合されており、これにより流し台の深さに合ったまな板支え支柱の高さに調整することができる。【００１６】  まな板先端角の二辺を転倒防止板１１の上に設けられたずれ止め突起１３に接触させてまな板支え支柱を設置することにより、流し台のほぼ一定の位置にまな板支え支柱を設置することができる。【００１７】  料理中にまな板がずれようとすると、ずれ止め突起１３をまな板が押して、転倒防止板１１の縁が載せられたまな板に接触し、まな板支え支柱が転倒するのを防止する。また滑り止めゴム３によりまな板支え支柱が流し台から滑るのを防止する。【００１８】  まな板支持突起１２は、例えば球面で支柱円筒中心付近に設置して、まな板と点接触支持させることにより底板中心位置に、通常使用時の荷重の作用位置を近づけまな板支え支柱を転倒しにくくするとともに、一定の位置でまな板と接触させることにより当初調整したまな板支え支柱の高さの再調整を不要とする。【００１９】  下支柱２の下の底板２１は、まな板支え支柱が安定して自立するために支柱径より大きな径とすることが好ましい。
【図面の簡単な説明】
【００２０】
【図１】    本発明の組み立て正面図
【図２】    本発明の組み立て平面図
【図３】    本発明の組み立て側面図
【図４】    図３におけるＡ−Ａ線断面図
【図５】    図２におけるＢ−Ｂ線断面図
【図６】    図５におけるＣ−Ｃ線断面図
【図７】    流し台に設置した状態の斜視図
【符号の説明】
【００２１】  １    上支柱
１１  転倒防止板
１２  まな板支持突起
１３  ずれ止め突起
１４  高さ調整雌ねじ
２    下支柱
２１  底板
２２  高さ調整雄ねじ
３    滑り止めゴム
【図１】
2007082969.tif 000003
【図２】
2007082969.tif 000004
【図３】
2007082969.tif 000005
【図４】
2007082969.tif 000006
【図５】
2007082969.tif 000007
【図６】
2007082969.tif 000008
【図７】
2007082969.tif 000009